(57)【要約】【課題】  広色域化を図りつつ、高輝度を実現する。【解決手段】  赤色光、緑色光及び青色光の波長を選択的に透過する３原色フィルタからなるカラーフィルタを備えた透過型のカラー液晶表示パネルを背面側から白色光で照明するバックライト装置であって、当該バックライト装置は、管壁に広色域蛍光材料が塗布された複数の冷陰極蛍光灯管と、冷陰極蛍光灯管から出射された白色光を拡散し、当該拡散した白色光によってカラー液晶表示パネルを照明し、冷陰極蛍光灯管と所定距離離れて配置される拡散板とを備え、拡散板は、冷陰極蛍光灯管が配置さている位置に応じてドット印刷による所定のパターンが印刷されており、冷陰極蛍光灯管と数ｍｍ離れて配置されている。【選択図】  図１
2006196374.tif 000002
【特許請求の範囲】
【請求項１】
赤色光、緑色光及び青色光の波長を選択的に透過する３原色フィルタからなるカラーフィルタを備えた透過型のカラー液晶表示パネルを背面側から白色光で照明するバックライト装置であって、
当該バックライト装置は、
管壁に広色域蛍光材料が塗布された複数の冷陰極蛍光灯管と、
上記冷陰極蛍光灯管から出射された白色光を拡散し、当該拡散した白色光によって上記カラー液晶表示パネルを照明し、上記冷陰極蛍光灯管と所定距離離れて配置される拡散板とを備え、
上記拡散板は、上記冷陰極蛍光灯管が配置さている位置に応じてドット印刷による所定のパターンが印刷されており、上記冷陰極蛍光灯管と数ｍｍ離れて配置されていることを特徴とするバックライト装置。
【請求項２】
上記冷陰極蛍光灯管は、管壁に青色の蛍光材料としてBaMgAl10O17:Euが、緑色の蛍光材料としてBaMgAl10O17:Eu,Mnが、赤色の蛍光材料としてYVO4:Euがそれぞれ塗布されてなることを特徴とする請求項１記載のバックライト装置。
【請求項３】
赤色光、緑色光及び青色光の波長を選択的に透過する３原色フィルタからなるカラーフィルタを備えた透過型のカラー液晶表示パネルを背面側から白色光で照明するバックライト装置であって、
当該バックライト装置は、
管壁に広色域蛍光材料が塗布された複数の冷陰極蛍光灯管と、
上記冷陰極蛍光灯管から出射された白色光を拡散し、当該拡散した白色光によって上記カラー液晶表示パネルを照明し、上記冷陰極蛍光灯管と所定距離離れて配置される拡散板とを備え、
上記冷陰極蛍光灯管の内径は、当該冷陰極蛍光灯管の寿命と、当該冷陰極蛍光灯管から出射される白色光の輝度とによって決定されることを特徴とするバックライト装置。
【請求項４】
上記冷陰極蛍光灯管は、管壁に青色の蛍光材料としてBaMgAl10O17:Euが、緑色の蛍光材料としてBaMgAl10O17:Eu,Mnが、赤色の蛍光材料としてYVO4:Euがそれぞれ塗布されてなることを特徴とする請求項３記載のバックライト装置。
【請求項５】
上記冷陰極蛍光灯管の内径は、１．８ｍｍであることを特徴とする請求項３記載のバックライト装置。
【請求項６】
赤色光、緑色光及び青色光の波長を選択的に透過する３原色フィルタからなるカラーフィルタを備えた透過型のカラー液晶表示パネルを背面側から白色光で照明するバックライト装置を備える液晶表示装置であって、
上記バックライト装置は、
管壁に広色域蛍光材料が塗布された複数の冷陰極蛍光灯管と、
上記冷陰極蛍光灯管から出射された白色光を拡散し、当該拡散した白色光によって上記カラー液晶表示パネルを照明し、上記冷陰極蛍光灯管と所定距離離れて配置される拡散板とを備え、
上記拡散板は、上記冷陰極蛍光灯管が配置さている位置に応じてドット印刷による所定のパターンが印刷されており、上記冷陰極蛍光灯管と数ｍｍ離れて配置されていることを特徴とする液晶表示装置。
【請求項７】
上記冷陰極蛍光灯管は、管壁に青色の蛍光材料としてBaMgAl10O17:Euが、緑色の蛍光材料としてBaMgAl10O17:Eu,Mnが、赤色の蛍光材料としてYVO4:Euがそれぞれ塗布されてなることを特徴とする請求項６記載の液晶表示装置。
【請求項８】
赤色光、緑色光及び青色光の波長を選択的に透過する３原色フィルタからなるカラーフィルタを備えた透過型のカラー液晶表示パネルを背面側から白色光で照明するバックライト装置を備える液晶表示装置であって、
上記バックライト装置は、
管壁に広色域蛍光材料が塗布された複数の冷陰極蛍光灯管と、
上記冷陰極蛍光灯管から出射された白色光を拡散し、当該拡散した白色光によって上記カラー液晶表示パネルを照明し、上記冷陰極蛍光灯管と所定距離離れて配置される拡散板とを備え、
上記冷陰極蛍光灯管の内径は、当該冷陰極蛍光灯管の寿命と、当該冷陰極蛍光灯管から出射される白色光の輝度とによって決定されることを特徴とする液晶表示装置。
【請求項９】
上記冷陰極蛍光灯管は、管壁に青色の蛍光材料としてBaMgAl10O17:Euが、緑色の蛍光材料としてBaMgAl10O17:Eu,Mnが、赤色の蛍光材料としてYVO4:Euがそれぞれ塗布されてなることを特徴とする請求項８記載の液晶表示装置。
【請求項１０】
上記冷陰極蛍光灯管の内径は、１．８ｍｍであることを特徴とする請求項８記載の液晶表示装置。
【発明の詳細な説明】
【技術分野】
【０００１】
本発明は、液晶表示装置等に備えられ、当該液晶表示装置の広色域化を図るバックライト装置及び当該バックライト装置を備える液晶表示装置に関する。
【背景技術】
【０００２】
液晶表示装置は、陰極線管（CRT:Cathode-Ray Tube）と比較して大型表示画面化、軽量化、薄型化、低電力消費化等が図られることから、例えば自発光型のＰＤＰ（Plasma Display Panel）等とともにテレビジョン受像機や各種のディスプレィ用に用いられるようになっている。液晶表示装置は、各種サイズの２枚の透明基板の間に液晶を封入し、基板間に電圧を印加することにより液晶分子の向きを変えることにより光透過率を変化させ、所定の画像等を光学的に表示する。
【０００３】
液晶表示装置は、液晶自体が発光体ではないために、例えば液晶パネルの背面部に光源として機能するバックライトユニットが備えられる。バックライトユニットは、例えば一次光源、導光板、反射フィルム、レンズシート或いは拡散フィルム等を備え、液晶パネルに対して全面に亘って表示光を供給する。バックライトユニットには、Ｈｇ（水銀）やＸｅ（キセノン）を蛍光管内に封入した冷陰極蛍光ランプ（CCFL:Cold Cathode Fluorescent Lamp）が用いられている。
【０００４】
ところで、現在の標準的な表示装置では、sRGB（IECが規定した色空間）規格の色域で規定されているが、世の中にはsRGBの色域を超えた色が多々あり、sRGB規格の表示装置では表示できない物体色が存在する。例えば、フィルムやデジタルカメラやプリンターなどは既にsRGBの範囲を超えている。
【０００５】
【特許文献１】特開２００４−１７２０１１号公報
【発明の開示】
【発明が解決しようとする課題】
【０００６】
そこで、現在、sRGBを超えた広色域化に対応した表示装置の出現が望まれている。また、広色域化に対応するためにsRGBよりも広い色空間を持ったsYCCが業界標準として規定されている。
【０００７】
一方、カラーテレビジョンの放送方式としてＮＴＳＣ（National Television System Committee）が採用されているが、sRGBに比べて帯域幅が広く、sYCCを実現するには表示画面上でＮＴＳＣの色域と同等あるいはこれを超える必要がある。
【０００８】
特に、近年液晶ＴＶやＰＤＰに代表されるように表示装置の薄型化が流れとしてある。中でも表示装置の多くは液晶系であり、忠実な色の再現性が望まれている。
【０００９】
広色域化に関しては、バックライトの光源として用いられている光源であるＣＣＦＬに使用される各色の蛍光材料の波長に左右される。ところが、蛍光材料として適式なものを選択することによって広色域化を達成することができるが、一方で、輝度が低下してしまう問題がある。
【００１０】
そこで、本発明は、上述した問題点に鑑みて案出されたものであり、輝度値をほとんど減少させることなく液晶表示装置の広色域化を実現するバックライト装置及び当該バックライト装置を備える液晶表示装置を提供する。
【課題を解決するための手段】
【００１１】
本発明に係るバックライト装置は、上述の課題を解決するために、赤色光、緑色光及び青色光の波長を選択的に透過する３原色フィルタからなるカラーフィルタを備えた透過型のカラー液晶表示パネルを背面側から白色光で照明するバックライト装置であって、当該バックライト装置は、管壁に広色域蛍光材料が塗布された複数の冷陰極蛍光灯管と、冷陰極蛍光灯管から出射された白色光を拡散し、当該拡散した白色光によってカラー液晶表示パネルを照明し、冷陰極蛍光灯管と所定距離離れて配置される拡散板とを備え、拡散板は、冷陰極蛍光灯管が配置さている位置に応じてドット印刷による所定のパターンが印刷されており、冷陰極蛍光灯管と数ｍｍ離れて配置されている。
【００１２】
また、冷陰極蛍光灯管は、管壁に青色の蛍光材料としてBaMgAl10O17:Euが、緑色の蛍光材料としてBaMgAl10O17:Eu,Mnが、赤色の蛍光材料としてYVO4:Euがそれぞれ塗布されてなる。
【００１３】
また、本発明に係るバックライト装置は、上述の課題を解決するために、赤色光、緑色光及び青色光の波長を選択的に透過する３原色フィルタからなるカラーフィルタを備えた透過型のカラー液晶表示パネルを背面側から白色光で照明するバックライト装置であって、当該バックライト装置は、管壁に広色域蛍光材料が塗布された複数の冷陰極蛍光灯管と、冷陰極蛍光灯管から出射された白色光を拡散し、当該拡散した白色光によってカラー液晶表示パネルを照明し、冷陰極蛍光灯管と所定距離離れて配置される拡散板とを備え、冷陰極蛍光灯管の内径は、当該冷陰極蛍光灯管の寿命と、当該冷陰極蛍光灯管から出射される白色光の輝度とによって決定される。
【００１４】
また、冷陰極蛍光灯管は、管壁に青色の蛍光材料としてBaMgAl10O17:Euが、緑色の蛍光材料としてBaMgAl10O17:Eu,Mnが、赤色の蛍光材料としてYVO4:Euがそれぞれ塗布されてなる。
【００１５】
また、冷陰極蛍光灯管の内径は、１．８ｍｍである。
【００１６】
また、本発明に係る液晶表示装置は、上述の課題を解決するために、赤色光、緑色光及び青色光の波長を選択的に透過する３原色フィルタからなるカラーフィルタを備えた透過型のカラー液晶表示パネルを背面側から白色光で照明するバックライト装置を備える液晶表示装置であって、バックライト装置は、管壁に広色域蛍光材料が塗布された複数の冷陰極蛍光灯管と、冷陰極蛍光灯管から出射された白色光を拡散し、当該拡散した白色光によってカラー液晶表示パネルを照明し、冷陰極蛍光灯管と所定距離離れて配置される拡散板とを備え、拡散板は、冷陰極蛍光灯管が配置さている位置に応じてドット印刷による所定のパターンが印刷されており、冷陰極蛍光灯管と数ｍｍ離れて配置されている。
【００１７】
また、冷陰極蛍光灯管は、管壁に青色の蛍光材料としてBaMgAl10O17:Euが、緑色の蛍光材料としてBaMgAl10O17:Eu,Mnが、赤色の蛍光材料としてYVO4:Euがそれぞれ塗布されてなる。
【００１８】
また、本発明に係る液晶表示装置は、上述の課題を解決するために、赤色光、緑色光及び青色光の波長を選択的に透過する３原色フィルタからなるカラーフィルタを備えた透過型のカラー液晶表示パネルを背面側から白色光で照明するバックライト装置を備える液晶表示装置であって、バックライト装置は、管壁に広色域蛍光材料が塗布された複数の冷陰極蛍光灯管と、冷陰極蛍光灯管から出射された白色光を拡散し、当該拡散した白色光によってカラー液晶表示パネルを照明し、冷陰極蛍光灯管と所定距離離れて配置される拡散板とを備え、冷陰極蛍光灯管の内径は、当該冷陰極蛍光灯管の寿命と、当該冷陰極蛍光灯管から出射される白色光の輝度とによって決定される。
【００１９】
また、冷陰極蛍光灯管は、管壁に青色の蛍光材料としてBaMgAl10O17:Euが、緑色の蛍光材料としてBaMgAl10O17:Eu,Mnが、赤色の蛍光材料としてYVO4:Euがそれぞれ塗布されてなる。
【００２０】
また、冷陰極蛍光灯管の内径は、１．８ｍｍである。
【発明の効果】
【００２１】
本発明では、管壁に広色域の蛍光材料が塗布された蛍光灯管と、蛍光灯管と所定距離離間されて配置される拡散板とからなるバックライト装置により、液晶分子により所定の映像を表示するカラー液晶表示パネルを背面側から白色光を照射するので、広色域化を図ることができ、また、蛍光灯管と拡散板との距離を十数ｍｍとすることにより、輝度ムラを生じることなく高輝度を維持することができ、また、拡散板上に所定のドットパターンを印刷することによって、蛍光灯管と拡散板との距離を数ｍｍまで近接化することができ、装置全体の薄型化を図ることができる。また、蛍光灯管の内径φを、蛍光灯管の輝度と寿命に基づいて決定される内径φに小規模化することによっても、高輝度を維持することができる。
【発明を実施するための最良の形態】
【００２２】
以下、本発明の実施の形態として図面に示した透過型液晶表示パネル１について、詳細に説明する。透過型液晶表示パネル１は、例えば、テレビジョン受像機の表示パネルに用いられる。透過型液晶表示パネル１は、図１に示すように、透過型のカラー液晶表示パネル１０と、このカラー液晶表示パネル１０の背面側に設けられたバックライトボックス４０とからなる。
【００２３】
カラー液晶表示パネル１０は、ガラス等で構成された２枚の透明な基板（ＴＦＴ基板１１、対向電極基板１２）を互いに対向配置させ、その間隙に、例えば、ツイステッドネマチック（ＴＮ）液晶を封入した液晶層１３を設けた構成となっている。ＴＦＴ基板１１には、マトリクス状に配置された信号線１４と、走査線１５と、信号線１４と走査線１５との交点に配置されたスイッチング素子としての薄膜トランジスタ１６と、画素電極１７とが形成されている。薄膜トランジスタ１６は、走査線１５により、順次選択されると共に、信号線１４から供給される映像信号を、対応する画素電極１７に書き込む。一方、対向電極基板１２の内表面には、対向電極１８及びカラーフィルタ１９が形成されている。
【００２４】
つぎに、カラーフィルタ１９について説明する。カラーフィルタ１９は、各画素に対応した複数のセグメントに分割されている。例えば、図２に示すように、３原色である赤色フィルタＣＦＲ、緑色フィルタＣＦＧ及び青色フィルタＣＦＢの３つのセグメントに分割されている。カラーフィルタの配列パターンは、図２に示すようなストライブ配列の他に、デルタ配列や、正方配列等がある。また、カラーフィルタ１９は、図３に示すように、所定の分光特性を有している。
【００２５】
また、透過型液晶表示パネル１は、上述のような構成の透過型のカラー液晶表示パネル１０を２枚の偏光板３１，３２で挟み、バックライトボックス４０により背面側から白色光を照射した状態で、アクティブマトリクス方式で駆動することにより、所望のフルカラー映像を表示させる。
【００２６】
バックライトボックス４０は、上述したカラー液晶表示パネル１０を背面側から面発光照明する。バックライトボックス４０は、図１に示すように、後述する蛍光灯管で発光された光を外部へ放出する開口部２０ａが設けられたボックス部２０と、このボックス部２０の開口部２０ａ上に拡散板４１が設けられている。
【００２７】
拡散板４１は、開口部２０ａから出射された光を拡散させることで、面発光における輝度ムラ、色ムラが生じないように均一化した白色光に混色する。また、拡散板４１の上部には、拡散シート４２、プリズムシート４３、偏光変換シート４４といった光学シート群４５等が積層させている。光学シート群４５は、拡散板４１から出射された白色光を、拡散板４１の法線方向に立ち上げることで、面発光における輝度を上昇させる働きをする。
【００２８】
つぎに、図４を用いて、ボックス部２０の概略構成について説明する。ボックス部２０は、光源として蛍光灯管２１を用いたバックライト装置である。図４（ａ）は、ボックス部２０の正面図であり、図４（ｂ）は、図４（ａ）に示すＸＸ線でボックス部２０を切断した際の断面図である。なお、図４（ａ）においては、蛍光灯管２１の配置の様子を示すため、図４（ｂ）で示す拡散板４１を図示していない。
【００２９】
ボックス部２０は、図４に示すように、上部が開口した筐体内に平行に配置された複数の蛍光灯管２１を備えている。また、筐体の内面（内側面、内底面）には、蛍光灯管２１から発光された白色光を内部で散乱反射させる反射面２２が形成されている。
【００３０】
つぎに、蛍光灯管２１について説明する。蛍光灯管２１は、図５に示すように、両側に電極が形成され、内壁に所定の蛍光材料が塗布され、管内にＨｇ（水銀）とＸｅ（キセノン）等の希ガスが封入されている冷陰極蛍光ランプ（CCFL:Cold Cathode Fluorescent Lamp）である。また、蛍光灯管２１の発光原理は、電極２３に電流が流されると、フィラメント２４から熱電子ｅが管内に放出され、放電が始まり、熱電子ｅが管内のＨｇ原子と衝突して励起され、紫外線ＵＶを放射する。Ｈｇ原子は、紫外線ＵＶを放射することにより基底状態となる。そして、この紫外線ＵＶが管壁に塗布されている蛍光材料２５に照射され、蛍光材料２５により吸収されて、白色光Ｌを外部に出射する。また、蛍光材料２５としては、青色の蛍光材料としてBaMgAl10O17:Euを用い、緑色の発光材料としてBaMgAl10O17:Eu,Mnを用い、赤色の発光材料としてYVO4:Euを用いることを想定している。
【００３１】
ところで、本願発明の目的は、課題で述べたように、輝度値をほとんど減少させることなく広色域化を実現することにある。
【００３２】
広色域化に関しては、バックライトの光源として用いられている蛍光灯管２１に使用される各色の蛍光材料の波長に左右される。ところで、蛍光材料として広色域化を実現する適式な材料を選択することによって広色域化を達成することができるが、一方で、輝度が低下してしまう問題がある。そこで、本願発明では、広色域化を実現する適式な蛍光材料を選択し、かつ、拡散板４１を蛍光灯管２１へ近接化し、また、蛍光灯管２１の内径φを小規模化することにより、広色域化を実現し、かつ高輝度を保持しつつ、同時に薄型化する。
【００３３】
ここで、蛍光材料の選択による広色域化について説明する。図６は、国際照明委員会ＣＩＥが定めたＸＹＺ表色系のｘｙ色度図である。図６より、通常の蛍光材料（例えば、青色の発光材料としてBaMgAl10O17:Eu、緑色の発光材料としてLaPO4:Tb、赤色の発光材料としてY2O3:Eu）が内壁に塗布されている場合には、色再現範囲は、カラーテレビジョンの放送方式として採用されているＮＴＳＣ（National Television System Committee）方式の規格で定められている色再現範囲より狭い範囲（ＮＴＳＣ方式に比較して約７４．５％の再現率）となっている。一方、本願発明で採用する蛍光材料２５が内壁に塗布されている場合には、色再現範囲は、ＮＴＳＣ方式と遜色ないレベル（ＮＴＳＣ方式に比較して約９３．１％の再現率）にある。
【００３４】
また、通常の蛍光材料が塗布された蛍光灯管２１と、本願発明で採用する蛍光材料２５が塗布された蛍光灯管２１のＬＣＤ輝度、ＬＣＤ色度、管電流及び消費電力に関して比較した様子を図７に示す。図７より明らかなように、ＬＤＣ色度、管電流及び消費電力は同等であることが分かる。ところが、ＬＣＤ輝度は、２４％減少してしまっている。ＬＣＤ輝度の減少の対策については、後述する。
【００３５】
また、通常の蛍光材料が塗布された蛍光灯管から出射される白色光のスペクトルと、本願発明で採用する蛍光材料２５が塗布された蛍光灯管２１から出射される白色光のスペクトルを比較した様子を図８に示す。また、図８には、図３に示したカラーフィルタ１９の分光特性も併せて示してある。
【００３６】
本願発明で採用される蛍光材料２５によれば、緑色のピーク波長を５１４ｎｍ、５４６ｎｍにでき、また、赤色のピーク波長を６１９ｎｍにすることができる。通常の蛍光材料が塗布されている蛍光灯管では、青色フィルタＣＦＢと緑色フィルタＣＦＧのクロスポイントａ１付近に緑色のピーク波長が含まれており、色純度が悪い特性となっているが、本願発明で採用する蛍光材料２５が塗布されている蛍光灯管２５では、クロスポイントａ１付近に緑色のピーク波長はなくなっており、色純度が改善された特性を示している。
【００３７】
また、人の目の光に対する感度（視感度）は、波長により異なり、だいたい５５５ｎｍ付近でピークとなり、それよりも長波長側及び短波長側にシフトするにつれて低くなってゆく。
【００３８】
ここで、本願発明で採用する蛍光材料２５が塗布されている蛍光灯管２１のＬＣＤ輝度を、通常の蛍光材料が塗布されている蛍光灯管２１のＬＣＤ輝度と同等程度、つまり高輝度に維持する対策について以下に述べる。
【００３９】
例えば、蛍光灯管２１と拡散板４１とを近接化させることにより、ＬＣＤ輝度を高輝度に維持する。ところで、蛍光灯管２１と拡散板４１との距離が近すぎると、輝度ムラが生じてしまい、蛍光灯管２１と拡散板４１の距離が遠すぎると輝度が低下してしまう。そこで、以下に、蛍光灯管２１と拡散板４１の最適距離ｄについて説明する。
【００４０】
図９は、透過型液晶表示パネル１の断面図である。また、図１０には、蛍光灯管２１の直上位置Ｂでの輝度（以下、管上輝度という。）と、隣接する蛍光灯管２１同士の中間位置Ｃでの輝度（以下、管間輝度という。）の関係を示す。図１０より、管上輝度は、単調関数であり、管間輝度は、ある距離で極大ピークを持つ関数であることが分かる。また、図１１に管上輝度と管間輝度の輝度比を示す。ここで、視覚上において輝度ムラが生じない臨界点は、輝度比が１．０１を切るくらいの位置であるので、図１１より約１３ｍｍとなる。したがって、蛍光灯管２１と拡散板４１の最適距離ｄは１３ｍｍ付近となる。
【００４１】
また、拡散板４１にドット印刷によるドットパターンを印刷することにより最適距離ｄをさらに近接化することができる。ここで、拡散板４１及びドット印刷について説明する。拡散板４１は、所定の板厚（例えば、２ｍｍ程度）の乳白色（例えば、曇価９０〜９９％）の板であって、入射された光を拡散する。より詳細には、拡散板４１に入射される光は、蛍光灯管２１の位置によりランプイメージを構成する縞が生じてしまうが、拡散板４１は、その表面又は裏面に調光用のドットパターンが所望の特性を有するインクを用いて印刷されているので、ランプイメージを構成する縞が表れない。
【００４２】
また、拡散板４１に印刷された調光用ドットパターンは、インクの持つ反射性により入射した光を反射する。また、調光用ドットパターンは、インクに添付した遮光材による遮光性と、拡散材による拡散性とによって、入射した光を効率よく拡散反射する。一方、拡散板４１において、調光用ドットパターンが印刷されてない箇所では、入射した光は反射されずに、拡散板４１内に導かれることになる。このとき、拡散板４１内に入射された光は、拡散板４１内で内部拡散されることになる。このような調光用ドットパターンが印刷された拡散板４１は、線光源から出射された光を面状発光する際の問題となるランプイメージを抑制し、面全体の輝度を均一化させることができる。なお、この調光用ドットパターンについての詳細は、出願人が先に出願した特願２００４−２３８８５３に記載されている。
【００４３】
上述のようにして、管上位置Ｂから管間位置Ｃに徐々に薄くなるような所定のドットパターンを拡散板４１上に印刷することにより、蛍光灯管２１と拡散板４１の最適距離ｄを７ｍｍにすることができ、蛍光灯管２１の輝度ムラをなくしつつ、透過型液晶表示パネル１全体の薄膜化を図ることができる。また、ドット印刷では、管上位置Ｂの輝度を抑えて管間位置Ｃの輝度に合わせこむことにより、輝度ムラを消すという方法を採っている。
【００４４】
また、ＬＣＤ輝度を高輝度に維持する他の方法として、蛍光灯管２１の内径φを小規模化することによる方法がある。ここで、図１２に蛍光灯管２１の内径φと輝度との関係を示す。図１２から分かるように、内径φが小規模化するほど輝度が高くなる。ところで、内径φを小規模化していくと、寿命が短くなってしまう問題がある（図１３）。したがって、本願発明では、輝度と寿命とを考慮して内径φを１．８ｍｍとする。内径φ１．８ｍｍにすることにより、約１０〜３０％程度の効率アップを図ることができる。
【００４５】
このように構成される透過型液晶表示パネル１は、管壁に広色域の蛍光材料が塗布された蛍光灯管２１と、蛍光灯管２１と所定距離離間されて配置される拡散板４１とからなるバックライトボックス４０により、液晶分子により所定の映像を表示するカラー液晶表示パネル１０を背面側から白色光を照射するので、広色域化を図ることができ、また、蛍光灯管２１と拡散板４１との距離を１３ｍｍとすることにより、輝度ムラを生じることなく高輝度を維持することができ、また、拡散板４１上に所定のドットパターンを印刷することによって、蛍光灯管２１と拡散板４１との距離を７ｍｍまで近接化することができ、透過型液晶表示パネル１の薄型化を図ることができる。また、蛍光灯管２１の内径φを小規模化（φ＝１．８ｍｍ）することによっても、高輝度を維持することができる。
【００４６】
また、本発明は、図面を参照して説明した上述の実施例に限定されるものではなく、添付の請求の範囲及びその主旨を逸脱することなく、様々な変更、置換又はその同等のものを行うことができることは勿論である。
【図面の簡単な説明】
【００４７】
【図１】本発明を実施するための最良の形態として示す透過型液晶表示パネルについて説明するための分解斜視図である。
【図２】カラーフィルタについての説明に供する図である。
【図３】カラーフィルタの分光特性を示す図である。
【図４】蛍光灯管を光源とするバックライトボックスの正面図（ａ）と、断面図（ｂ）である。
【図５】蛍光灯管の原理を説明するための図である。
【図６】国際照明委員会により定められた色度図中に、通常の蛍光材料が塗布された蛍光灯管の色度の再現率と、本願発明で採用される蛍光材料が塗布された蛍光灯管の色度の再現率を比較した図である。
【図７】通常の蛍光材料が塗布された蛍光灯管と、本願発明で採用される蛍光材料が塗布された蛍光灯管の各種特性を比較した図である。
【図８】通常の蛍光材料が塗布された蛍光灯管から出射される白色光のスペクトルと、本願発明で採用される蛍光材料が塗布された蛍光灯管から出射される白色光のスペクトルを比較した図である。
【図９】本願発明に係る透過型液晶表示パネルの断面図である。
【図１０】拡散板と蛍光灯管の距離に応じた輝度の関係を示す図である。
【図１１】管上輝度と管間輝度の輝度比を示す図である。
【図１２】蛍光灯管の内径φと蛍光灯管の輝度の関係を示す図である。
【図１３】蛍光灯管の内径φと、蛍光灯管の寿命と、蛍光灯管の輝度との関係を示す図である。
【符号の説明】
【００４８】
１  透過型液晶表示パネル、１０  カラー液晶表示パネル、１１  ＴＦＴ基板、１２  対向電極基板、１３  液晶層、１４  信号線、１５  走査線、１６  薄膜トランジスタ、１７  画素電極、１８  対向電極、１９  カラーフィルタ、２０  ボックス部、２０ａ  開口部、３１，３２  偏光板、４０  バックライトボックス、４１  拡散板
【図１】
2006196374.tif 000003
【図２】
2006196374.tif 000004
【図３】
2006196374.tif 000005
【図４】
2006196374.tif 000006
【図５】
2006196374.tif 000007
【図６】
2006196374.tif 000008
【図７】
2006196374.tif 000009
【図８】
2006196374.tif 000010
【図９】
2006196374.tif 000011
【図１０】
2006196374.tif 000012
【図１１】
2006196374.tif 000013
【図１２】
2006196374.tif 000014
【図１３】
2006196374.tif 000015